(57)【要約】【課題】表示体に付される二次元コードの表示面積を最小限にすることができる翻訳システムを提供する。【解決手段】本発明の翻訳システム１００は、ＵＲＬを示す二次元コードＱＲが表示されたシール１１と、シール１１が付されるとともに、主国言語１２を伴う主国画像１３が表示された表示体１０と、二次元コードＱＲを読み取り、ＵＲＬに関連付けられた情報資源Ｓを表示可能な携帯端末２０と、を備え、情報資源Ｓは、主国言語１２に基づいて翻訳された他国言語４１を伴う主国画像１３に対応する他国画像４２を、複数種類有する。【選択図】          図１
2018169677.tif 000002
【特許請求の範囲】
【請求項１】
ＵＲＬを示す二次元コードが表示されたシールと、
前記シールが付されるとともに、主国言語を伴う主国画像が表示された表示体と、
前記二次元コードを読み取り、前記ＵＲＬに関連付けられた情報資源を表示可能な携帯端末と、を備え、
前記情報資源は、前記主国言語に基づいて翻訳された他国言語を伴う前記主国画像に対応する他国画像を、複数種類有する
ことを特徴とする翻訳システム。
【請求項２】
前記情報資源は、前記主国に係る通貨価格に基づいて換算された前記他国に係る通貨価格を含む
ことを特徴とする請求項１に記載の翻訳システム。
【請求項３】
前記携帯端末は、前記二次元コードを読み取ると、複数の他国言語の一覧を示す他国言語メニューを表示し、前記他国言語メニューから一つの選択他国言語が選択されると、前記選択他国言語に対応する前記他国言語が含まれる前記主国画像に対応する前記他国画像を表示する
ことを特徴とする請求項１又は請求項２に記載の翻訳システム。
【請求項４】
前記携帯端末は、前記携帯端末に設けられたモニタに表示する選択他国言語を主要表示言語情報として備え、
前記携帯端末は、前記二次元コードを読み取ると、前記選択他国言語に対応する前記他国言語が含まれる前記主国画像に対応する前記他国画像を表示する
ことを特徴とする請求項１又は請求項２に記載の翻訳システム。
【請求項５】
前記表示体は、互いに重なる複数の前記シールを有する
ことを特徴とする請求項１から請求項４のいずれか１項に記載の翻訳システム。
【請求項６】
前記表示体は、前記主国言語を伴うとともに、駅構内図、路線図、館内図、フロア図、商品カタログ又は飲食メニュー等を含む主国画像を表示する
ことを特徴とする請求項１から請求項５のいずれか１項に記載の翻訳システム。
【請求項７】
前記情報資源は、前記他国言語を伴うとともに、駅構内図、路線図、館内図、フロア図、商品カタログ又は飲食メニュー等を含む他国画像である
ことを特徴とする請求項１から請求項６のいずれか１項に記載の翻訳システム。
【請求項８】
前記携帯端末は、前記二次元コードを読み取る際に、前記携帯端末から前記表示体に向かう方角を取得し、
前記方角に応じて前記他国画像を回転させて表示する
ことを特徴とする請求項１から請求項７のいずれか１項に記載の翻訳システム。
【発明の詳細な説明】
【技術分野】
【０００１】
本発明は、翻訳システムに関するものである。
【背景技術】
【０００２】
従来、日本語テキストを外国語に翻訳して二次元コードとし、その二次元コードを印刷した印刷物が知られている（特許文献１参照）。
これにより、ユーザは、携帯電話のバーコードリーダーによって二次元コードを読み取り、携帯電話のディスプレイに翻訳された外国語テキストを表示することができる。
【先行技術文献】
【特許文献】
【０００３】
【特許文献１】登録実用新案第３２０１８０６号公報
【発明の概要】
【発明が解決しようとする課題】
【０００４】
特許文献１の印刷物は、数か国の外国語に対応する場合、対応する数の二次元コードを表示する必要があり、絵や商材や図柄等、本来の表示内容の表示面積の他に、複数の二次元コードを表示するための相応の表示面積を要する。
しかしながら、印刷物のような表示体においては、本来の表示内容の表示面積を大きく確保し、二次元コードの表示面積は最小限にすることが求められる。
本発明は、上記事情に鑑みてなされたものであり、表示体に付される二次元コードの表示面積を最小限にすることができる翻訳システムを提供することを目的とする。
【課題を解決するための手段】
【０００５】
上記目的を達成するために、以下の構成によって把握される。
（１）本発明の翻訳システムは、ＵＲＬを示す二次元コードが表示されたシールと、前記シールが付されるとともに、主国言語を伴う主国画像が表示された表示体と、前記二次元コードを読み取り、前記ＵＲＬに関連付けられた情報資源を表示可能な携帯端末と、を備え、前記情報資源は、前記主国言語に基づいて翻訳された他国言語を伴う前記主国画像に対応する他国画像を、複数種類有する。
（２）上記（１）の構成において、前記情報資源は、前記主国に係る通貨価格に基づいて換算された前記他国に係る通貨価格を含む。
（３）上記（１）又は（２）の構成において、前記携帯端末は、前記二次元コードを読み取ると、複数の他国言語の一覧を示す他国言語メニューを表示し、前記他国言語メニューから一つの選択他国言語が選択されると、前記選択他国言語に対応する前記他国言語が含まれる前記主国画像に対応する前記他国画像を表示する。
（４）上記（１）又は（２）の構成において、前記携帯端末は、前記携帯端末に設けられたモニタに表示する選択他国言語を主要表示言語情報として備え、前記携帯端末は、前記二次元コードを読み取ると、前記選択他国言語に対応する前記他国言語が含まれる前記主国画像に対応する前記他国画像を表示する。
（５）上記（１）から（４）のいずれかの構成において、前記表示体は、互いに重なる複数の前記シールを有する。
（６）上記（１）から（５）のいずれかの構成において、前記表示体は、前記主国言語を伴うとともに、駅構内図、路線図、館内図、フロア図、商品カタログ又は飲食メニュー等を含む主国画像を表示する。
（７）上記（１）から（６）のいずれかの構成において、前記情報資源は、前記他国言語を伴うとともに、駅構内図、路線図、館内図、フロア図、商品カタログ又は飲食メニュー等を含む他国画像である。
（８）上記（１）から（７）のいずれかの構成において、前記携帯端末は、前記二次元コードを読み取る際に、前記携帯端末から前記表示体に向かう方角を取得し、前記方角に応じて前記他国画像を回転させて表示する。
【発明の効果】
【０００６】
本発明によれば、表示体に付される二次元コードの表示面積を最小限にすることができる翻訳システムを提供できる。
【図面の簡単な説明】
【０００７】
【図１】翻訳システムの説明図である。
【図２】（ａ）は、南に面する表示体に対して北向きに対面しているユーザ及び携帯端末を示す図であり、（ｂ）は、他国画像が携帯端末に表示された状態である。
【図３】（ａ）は、西に面する表示体に対して東向きに対面しているユーザ及び携帯端末を示す図であり、（ｂ）は、他国画像が携帯端末に表示された状態である。
【図４】主国価格を他国価格で表示する翻訳システムの説明図である。
【発明を実施するための形態】
【０００８】
（実施形態）
以下、図面を参照して本発明を実施するための形態（以下、実施形態）について詳細に説明する。なお、実施形態の説明の全体を通して同じ要素には同じ符号が付される。
【０００９】
図１は実施形態に係る翻訳システム１００の説明図である。
図１に概略を示すように、本実施形態に係る翻訳システム１００は、ＵＲＬを示す二次元コードＱＲが表示されたシール１１と、シール１１が付されるとともに、主国言語１２を伴う主国画像１３が表示された表示体１０と、二次元コードＱＲを読み取り、ＵＲＬに関連付けられた情報資源Ｓを表示可能な携帯端末２０と、を備える。
具体的には、図１に示すように、例えば、新宿駅構内における通路の壁等を表示体１０とし、その表示体１０に、日本語（主国言語１２）で説明された駅構内図（主国画像１３）が表示されている。
【００１０】
表示体１０は、シール１１が付されるとともに、主国言語１２を伴う主国画像１３が表示されるものである。表示体１０は、商品カタログや料理メニュー等が印刷された紙媒体であってよく、タブレットやデジタルサイネージ等の電子表示媒体であってもよい。また、表示体１０は、構造物の一部である壁、柱、床、天井、梁等であってよい。
【００１１】
主国言語１２は、例えば、日本国であれば、公用語となる日本語である。なお、主国言語１２は、表示体１０を使用する地域に応じて、その地域で最も使用されている言語であってよい。
主国画像１３は、実施形態として図１に示された駅構内図の他、路線図、館内図、フロア図、商品カタログ、飲食メニュー等であってよい。
【００１２】
表示体１０に付されたシール１１には、ＵＲＬを示す二次元コードＱＲが印刷されて表示されている。二次元コードＱＲは、印字面積当たりの情報量が大きな、水平方向と垂直方向に情報を持つ表示方式のコードであり、例えば、ＱＲコード（登録商標）が採用される。
【００１３】
携帯端末２０は、例えば、スマートフォン等であり、ＵＲＬを示す二次元コードＱＲを読み取り可能な二次元コードリーダ２１と、有線通信や無線通信によりインターネット等の公衆回線と接続するための通信装置２２と、画像を表示するモニタ２３と、携帯端末２０が向いている方角を取得するコンパス２４と、を備える。携帯端末２０は、位置情報を取得するＧＰＳを更に備えてもよい。
【００１４】
そして、ユーザＵが、携帯端末２０によって二次元コードＱＲを読み取りＵＲＬを取得すると、携帯端末２０は、搭載された通信装置２２を利用して、インターネット上のＵＲＬにアクセスし、サーバ５０からそのＵＲＬに関連する情報資源Ｓをダウンロードして、その情報資源Ｓを、ウェブブラウザ等を介して携帯端末２０のモニタ２３に表示する。
【００１５】
シール１１は、表側面に二次元コードＱＲが印刷されて表示されており、裏側面に糊が付されている。シール１１の糊には、剥離シート（不図示）が仮着けされている。そして、シール１１を使用する際、ユーザＵは、剥離シートをシール１１から剥離し、表示体１０における所望の箇所に貼り付ける。
【００１６】
シール１１は、シール１１の上に重ねて貼り付けられてもよい。すなわち、表示体１０は、互いに重なる複数のシール１１を有してもよい。このように、例えば、第１の二次元コードＱＲが示された第１のシール１１の上に、更に第２の二次元コードＱＲが示された第２のシール１１を貼り付けることで、第１の二次元コードＱＲに示されたＵＲＬに関連する情報資源Ｓの内容を変えなくても、第２の二次元コードＱＲに示されたＵＲＬを第１の二次元コードＱＲに示されたＵＲＬと異なるものとし、第２の二次元コードＱＲに示されたＵＲＬに関連する情報資源Ｓをサーバ５０のデータベースＤＢに格納することで、携帯端末２０に表示される内容を変更できる。なお、第１の二次元コードＱＲが示された第１のシール１１の上に、更に第２の二次元コードＱＲが示された第２のシール１１を貼り付けることなく、第１の二次元コードＱＲに示されたＵＲＬに関連する情報資源Ｓの内容を変えることにより、携帯端末２０に表示される内容を変更してもよい。すなわち、第１の二次元コードＱＲに示されたＵＲＬに関連付けられた、サーバ５０のデータベースＤＢに格納される情報資源Ｓを新たなものに更新することにより、携帯端末２０に表示される内容を変更できる。
【００１７】
情報資源Ｓは、主国言語１２に基づいて翻訳された他国言語４１を伴う、主国画像１３に対応する他国画像４２を、複数種類有する。情報資源Ｓは、インターネット上のサーバ５０にあるデータベースＤＢの中に格納されている。
そして、例えば、主国言語１２が日本語である場合、情報資源Ｓは、日本語に基づいて翻訳されたアラビア語で説明された駅構内図の他、日本語に基づいて翻訳されたイタリア語で説明された駅構内図や、日本語に基づいて翻訳された英語で説明された駅構内図を含む。このように、主国画像１３が駅構内図であれば、他国画像４２も、それに対応するように、駅構内図となる。同様に、例えば、主国画像１３が飲食メニューであれば、他国画像４２も、それに対応するように、飲食メニューとなる。なお、他国画像４２は駅構内図に限らず、主国画像１３に対応して路線図、館内図、フロア図、商品カタログ又は飲食メニュー等を含むものであってもよい。
【００１８】
主国画像１３が駅構内図であれば、他国画像４２も、それに対応するように、駅構内図とするべきであるので、例えば、主国言語１２を伴う主国画像１３に対応する他国言語４１を伴う他国画像４２は、あらかじめデータベースＤＢに情報資源Ｓとして呼び出し自在な状態で保存しておく。
【００１９】
そして、ユーザＵによる操作により、携帯端末２０は、二次元コードＱＲを読み取ると、ＵＲＬに関連付けられた複数の他国言語４１の一覧を示す他国言語メニュー３０を表示する。
他国言語メニュー３０に表示された複数の他国言語４１は、それぞれ異なるＵＲＬが関連付けられているので、携帯端末２０は、他国言語メニュー３０が表示された状態で、他国言語メニュー３０から一つの選択他国言語３１が選択されると、選択他国言語３１に対応する他国言語４１を伴う他国画像４２を表示する。
【００２０】
よって、ユーザＵは、日本語で説明された駅構内図に付された二次元コードＱＲを、携帯端末２０によって読み取るだけで、アラビア語で説明された駅構内図や、イタリア語で説明された駅構内図や、英語で説明された駅構内図を、選択して、携帯端末２０に表示できる。
【００２１】
翻訳システム１００は、このような構成により、複数種類の他国言語４１に対応するものであっても、一つの二次元コードＱＲを表示体１０に付せばよく、従来のように数か国の外国語に対応するために対応する数の二次元コードを表示する必要がなく、表示体１０に付される二次元コードＱＲの表示面積を最小限にすることができる。
【００２２】
（応用例１）
次に、本実施形態の応用例１を説明する。
応用例１は、表示体１０が向く方角によって、他国画像４２を回転させて携帯端末２０に表示するものである。
【００２３】
図２（ａ）は、南に面する表示体１０に対して北向きに対面しているユーザＵ及び携帯端末２０を示す図である。図２（ｂ）は、他国画像４２が携帯端末２０に表示された状態である。図３（ａ）は、西に面する表示体１０に対して東向きに対面しているユーザＵ及び携帯端末２０を示す図である。図３（ｂ）は、他国画像４２が携帯端末２０に表示された状態である。
【００２４】
携帯端末２０は、先述のように、携帯端末２０が向いている方角を取得するコンパス２４（図１参照）を備えている。
携帯端末２０は、二次元コードＱＲを読み取る際に、携帯端末２０から表示体１０に向かう方角を取得し、その方角に応じて他国画像４２を回転させて表示する。
【００２５】
例えば、図２（ａ）に示すように、ユーザＵが、南に面する表示体１０に対して北向きに対面した状態、すなわち、所持する携帯端末２０が北向きの状態で二次元コードＱＲを読み取ると同時又はその後に、携帯端末２０は、携帯端末２０に内蔵されたコンパス２４から携帯端末２０が向いている方角、すなわち、北向きであることを取得する。
【００２６】
そして、図２（ｂ）に示すように、方角を取得すると、携帯端末２０は、その方角に応じて、他国画像４２を回転させてモニタ２３に表示する。すなわち、携帯端末２０のモニタ２３の上側（図２（ｂ）における上側）を北として、他国画像４２を表示する。
【００２７】
一方、例えば、図３（ａ）に示すように、ユーザＵが、西に面する表示体１０に対して東向きに対面した状態、すなわち、所持する携帯端末２０が東向きの状態で二次元コードＱＲを読み取ると同時又はその後に、携帯端末２０は、携帯端末２０に内蔵されたコンパス２４から携帯端末２０が向いている方角、すなわち、東向きであることを取得する。
【００２８】
そして、図３（ｂ）に示すように、方角を取得すると、携帯端末２０は、その方角に応じて、他国画像４２を回転させてモニタ２３に表示する。すなわち、携帯端末２０のモニタ２３の上側（図３（ｂ）における右側）を東として、他国画像４２を表示する。
【００２９】
このように、携帯端末２０は、二次元コードＱＲを読み取る際に、携帯端末２０から表示体１０に向かう方角を取得し、その方角に応じて他国画像４２を回転させて表示するので、ユーザＵが現在の位置を直感的に把握しやすい。
【００３０】
なお、他国画像４２は、二次元コードＱＲを読み取ると同時に、その時に取得した方角に対応して回転させて表示され、そのまま固定されてもよく、方角を取得するごとにその方角に応じて随時回転されて表示されてもよい。
【００３１】
なお、応用例１では、携帯端末２０に内蔵されたコンパス２４から取得される方角に応じて他国画像４２を回転させて表示する例を示したが、これに限らず、表示体１０と携帯端末２０との位置関係又は姿勢関係に基づいて他国画像４２を回転させて表示してもよい。例えば、表示体１０の位置情報と携帯端末２０の位置情報から方角を演算し、その方角に基づいて他国画像４２を回転させて表示してもよい。
【００３２】
（応用例２）
次に、本実施形態の応用例２を説明する。
応用例２は、主国価格１４を含む主国言語１２が主国画像１３に含まれる場合、主国に係る通貨価格である主国価格１４を為替レートに基づいて換算して、翻訳対象の他国に係る通貨価格である他国価格４３で携帯端末２０に表示するものである。ここでは、日本語で表示された飲食メニューを例にして説明する。ここでは、主国価格１４は日本円であり、他国価格４３はドルである設定で説明する。
【００３３】
図４は、主国価格１４を他国価格４３で表示する翻訳システム１００の説明図である。
図４に示すように、表示体１０である飲食メニューには、主国言語１２である日本語で、メニューの一部である「寿司」が表示されており、その下に、主国価格１４である「１２００円」が表示されている。同様に、メニューの一部である「ハンバーグステーキ」が表示されており、その下に、主国価格１４である「８３０円」が表示されている。
【００３４】
ここで、図４では図示されていないが、ユーザＵによる操作により、携帯端末２０は、二次元コードＱＲを読み取ると、ＵＲＬに関連付けられた複数の他国言語４１の一覧を示す他国言語メニュー３０（図１参照）を表示する。
他国言語メニュー３０に表示された複数の他国言語４１は、それぞれ異なるＵＲＬが関連付けられているので、携帯端末２０は、他国言語メニュー３０が表示された状態で、他国言語メニュー３０から一つの選択他国言語３１（英語）が選択されると、選択他国言語３１（英語）に対応する他国言語４１（英語）を表示する。
すなわち、ユーザＵが携帯端末２０によって二次元コードＱＲを読み取ると、携帯端末２０のモニタ２３には、他国言語メニュー３０が表示され、一つの選択他国言語３１（英語）が選択されると、主国言語１２（日本語）から選択他国言語３１（英語）に対応する他国言語４１（英語）に翻訳されて、「Ｓｕｓｈｉ」や「ｈａｍｂｕｒｇｅｒ  ｓｔｅａｋ」が表示される。
【００３５】
このとき、表示体１０である飲食メニューに表示された主国価格１４（日本円）は、例えば、インターネット上から取得された為替レート（１ドル＝１２０円）に基づいて換算されて、翻訳対象の他国に係る他国価格４３（ドル）で携帯端末２０のモニタ２３に表示される。
【００３６】
これにより、ユーザＵは、理解できない主国言語１２（日本語）によって記載された飲食メニュー等であっても、携帯端末２０を介して飲食メニューの内容を翻訳できると同時に、慣れている他国価格４３（ドル）によって飲食メニューの価格を把握することができる。
【００３７】
なお、応用例２においては表示体１０として飲食メニューを例に説明したが、これに限らず、商品カタログ等であってもよい。また、後述する応用例３のように、携帯端末２０が、携帯端末２０に設けられたモニタ２３に表示する選択他国言語３１を主要表示言語情報として備え、携帯端末２０が、二次元コードＱＲを読み取ると、選択他国言語３１に対応する他国言語４１が含まれる主国画像１３に対応する他国画像４２を表示するようにしてもよい。
【００３８】
（応用例３）
次に、本実施形態の応用例３を説明する。
応用例３は、先述の実施形態と比べて、他国言語メニュー３０（図１参照）を表示しない点で異なるものであり、ユーザＵによる操作により、携帯端末２０は、二次元コードＱＲを読み取ると、ＵＲＬに関連付けられた複数の他国言語４１の一覧を示す他国言語メニュー３０（図１参照）を表示しなくても、選択他国言語３１に対応する他国言語４１を伴う他国画像４２を表示するものである。
具体的には、携帯端末２０に、モニタ２３に表示する選択他国言語３１（例えば、英語）を主要表示言語情報としてあらかじめ備えておく。そして、ユーザＵによる操作により、携帯端末２０は、二次元コードＱＲを読み取ると、二次元コードＱＲに関連付けられたＵＲＬを、選択他国言語３１（英語）によって異なるＵＲＬに変換する。続いて、携帯端末２０は、選択他国言語３１（英語）によって異なるＵＲＬにアクセスし、サーバ５０からその変換されたＵＲＬに関連する情報資源Ｓをダウンロードして、その情報資源Ｓを、ウェブブラウザ等を介してモニタ２３に表示する。すなわち、選択他国言語３１（英語）に対応する他国言語４１（英語）を伴う他国画像４２を表示する。
【００３９】
よって、ユーザＵは、例えば、日本語で説明された駅構内図に付された二次元コードＱＲを、主要表示言語である選択他国言語３１（英語）をあらかじめ備える携帯端末２０によって読み取るだけで、他国言語メニュー３０から選択他国言語３１（英語）を選択する操作をしなくても、英語で説明された駅構内図を、携帯端末２０のモニタ２３に表示できる。
【００４０】
以上、本発明の好ましい実施形態について詳述したが、本発明に係る翻訳システム１００は上述した実施形態に限定されるものではなく、特許請求の範囲に記載された本発明の要旨の範囲内において、種々の変形、変化が可能である。
【００４１】
本発明によれば、翻訳システム１００が、ＵＲＬを示す二次元コードＱＲが表示されたシール１１と、シール１１が付されるとともに、主国言語１２を伴う主国画像１３が表示された表示体１０と、二次元コードＱＲを読み取り、ＵＲＬに関連付けられた情報資源Ｓを表示可能な携帯端末２０と、を備え、情報資源Ｓは、主国言語１２に基づいて翻訳された他国言語４１を伴う主国画像１３に対応する他国画像４２を、複数種類有するので、翻訳対象の他国言語４１が複数あっても、その数に対応する数の二次元コードＱＲを表示体１０に付す必要がなく、例えば単一の二次元コードＱＲで済ませることができ、表示体１０に付される二次元コードＱＲの表示面積を最小限にすることができる。
【符号の説明】
【００４２】
１０  表示体
１１  シール
１２  主国言語
１３  主国画像
１４  主国価格
２０  携帯端末
２１  二次元コードリーダ
２２  通信装置
２３  モニタ
２４  コンパス
３０  他国言語メニュー
３１  選択他国言語
４１  他国言語
４２  他国画像
４３  他国価格
５０  サーバ
１００  翻訳システム
ＤＢ  データベース
ＱＲ  二次元コード
Ｓ  情報資源
Ｕ  ユーザ
【図１】
2018169677.tif 000003
【図２】
2018169677.tif 000004
【図３】
2018169677.tif 000005
【図４】
2018169677.tif 000006
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
ＵＲＬを示す二次元コードが表示されたシールと、
前記シールが付されるとともに、主国言語を伴う主国画像が表示された表示体と、
前記二次元コードを読み取り、前記ＵＲＬに関連付けられた情報資源を表示可能な携帯端末と、を備え、
前記情報資源は、前記主国言語に基づいて翻訳された他国言語を伴う前記主国画像に対応する他国画像を、複数種類有し、
前記携帯端末は、前記二次元コードを読み取る際に、前記携帯端末から前記表示体に向かう方角を前記表示体と前記携帯端末との位置関係又は姿勢関係に基づいて取得し、
前記方角に応じて前記他国画像を回転させて表示する
ことを特徴とする翻訳システム。
【請求項２】
前記情報資源は、前記主国に係る通貨価格に基づいて換算された前記他国に係る通貨価格を含む
ことを特徴とする請求項１に記載の翻訳システム。
【請求項３】
前記携帯端末は、前記二次元コードを読み取ると、複数の他国言語の一覧を示す他国言語メニューを表示し、前記他国言語メニューから一つの選択他国言語が選択されると、前記選択他国言語に対応する前記他国言語が含まれる前記主国画像に対応する前記他国画像を表示する
ことを特徴とする請求項１又は請求項２に記載の翻訳システム。
【請求項４】
前記携帯端末は、前記携帯端末に設けられたモニタに表示する選択他国言語を主要表示言語情報として備え、
前記携帯端末は、前記二次元コードを読み取ると、前記選択他国言語に対応する前記他国言語が含まれる前記主国画像に対応する前記他国画像を表示する
ことを特徴とする請求項１又は請求項２に記載の翻訳システム。
【請求項５】
前記表示体は、互いに重なる複数の前記シールを有する
ことを特徴とする請求項１から請求項４のいずれか１項に記載の翻訳システム。
【請求項６】
前記表示体は、前記主国言語を伴うとともに、駅構内図、路線図、館内図、フロア図、商品カタログ又は飲食メニュー等を含む主国画像を表示する
ことを特徴とする請求項１から請求項５のいずれか１項に記載の翻訳システム。
【請求項７】
前記情報資源は、前記他国言語を伴うとともに、駅構内図、路線図、館内図、フロア図、商品カタログ又は飲食メニュー等を含む他国画像である
ことを特徴とする請求項１から請求項６のいずれか１項に記載の翻訳システム。
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
ＵＲＬを示す二次元コードが表示されたシールと、
１か所だけに前記シールが付されるとともに、主国言語で説明された構内図、又は、路線図の主国画像が表示された表示体と、
前記二次元コードを読み取り、前記ＵＲＬに関連付けられた情報資源を表示可能な携帯端末と、を備え、
前記情報資源は、前記主国言語に基づいて翻訳された他国言語で説明された構内図、又は、路線図の前記主国画像に対応する他国画像を、複数種類有し、
前記携帯端末は、前記二次元コードを読み取る際に、前記携帯端末から前記表示体に向かう方角を前記表示体と前記携帯端末との位置関係又は姿勢関係に基づいて取得し、
前記方角に応じて前記他国画像を回転させて表示するとともに、前記表示された前記他国画像は、前記携帯端末が方角を取得するごとにその方角に応じて随時回転されて表示されることを特徴とする翻訳システム。
【請求項２】
前記主国画像が主国言語で説明された駅構内図であり、
前記他国画像が前記主国言語に基づいて翻訳された前記他国言語で説明された駅構内図であることを特徴とする請求項１に記載の翻訳システム。
【請求項３】
前記携帯端末は、前記二次元コードを読み取ると、複数の他国言語の一覧を示す他国言語メニューを表示し、前記他国言語メニューから一つの選択他国言語が選択されると、前記選択他国言語に対応する前記他国言語が含まれる前記主国画像に対応する前記他国画像を表示することを特徴とする請求項１又は請求項２に記載の翻訳システム。
【請求項４】
前記携帯端末は、前記携帯端末に設けられたモニタに表示する選択他国言語を主要表示言語情報として備え、
前記携帯端末は、前記二次元コードを読み取ると、前記選択他国言語に対応する前記他国言語が含まれる前記主国画像に対応する前記他国画像を表示することを特徴とする請求項１又は請求項２に記載の翻訳システム。
【請求項５】
前記表示体は、互いに重なる複数の前記シールを有することを特徴とする請求項１から請求項４のいずれか１項に記載の翻訳システム。